(57)【要約】【課題】主蓄電装置および複数の副蓄電装置を備える電源システムにおいて、複数の副蓄電装置の１つがコンバータに接続された状態から、複数の副蓄電装置のいずれもコンバータに接続されていない状態に切り換わった場合に、電力の供給に関する制御を継続可能にする。【解決手段】電源システムは、主蓄電装置（ＢＡ）と複数の副蓄電装置（ＢＢ１，ＢＢ２）と、複数の副蓄電装置（ＢＢ１，ＢＢ２）のいずれか１つに接続されるコンバータ（１２Ｂ）とを含む。使用中の選択副蓄電装置のＳＯＣが低下し、かつ交換可能な副蓄電装置が残っていない場合、使用中の選択副蓄電装置はコンバータ（１２Ｂ）から切り離される。この際に制御装置（３０）は、副蓄電装置の電力パラメータを検出するためのセンサ（２１Ｂ）の検出値に代わる代替値を生成し、その値に基づいて電源システムに入出力される電力を制御する。【選択図】図１
2010288346.tif 000002
【特許請求の範囲】
【請求項１】
車両駆動パワーを発生するモータと、前記モータを駆動するインバータとを搭載した電動車両の電源システムであって、
主蓄電装置と、
前記インバータに給電する給電ラインと、
前記給電ラインと前記主蓄電装置との間に設けられ、双方向の電圧変換を行なうように構成された第１の電圧変換器と、
互いに並列に設けられた複数の副蓄電装置と、
前記複数の副蓄電装置と前記給電ラインとの間に設けられ、前記複数の副蓄電装置のうちの選択された副蓄電装置と前記給電ラインの間で双方向の電圧変換を行なうように構成された第２の電圧変換器と、
前記複数の副蓄電装置と前記第２の電圧変換器との間に設けられ、前記第２の電圧変換器に対する前記選択された副蓄電装置の接続および切離しを行なうように構成された接続部と、
前記主蓄電装置に関する第１のパラメータを検出するように構成された第１の検出部と、
前記選択された副蓄電装置に関する第２のパラメータを検出するように構成された第２の検出部と、
前記第１および第２のパラメータに基づいて、前記主蓄電装置および前記選択された副蓄電装置の各々に対する電力の入出力を制御するように構成された電力制御部と、
前記選択された副蓄電装置と交換可能な新たな副蓄電装置が残っていないときに、前記選択された副蓄電装置の充電状態に基づいて、前記選択された副蓄電装置を前記第２の電圧変換器から切り離すことの要否を判定するように構成された切離判定部と、
前記切換判定部によって、前記選択された副蓄電装置を前記第２の電圧変換器から切り離すことが必要と判定された場合に、第２の検出部による検出値に代わる代替値を前記第２のパラメータとして生成するように構成されたパラメータ生成部とを備える、電動車両の電源システム。
【請求項２】
前記代替値は、固定値である、請求項１に記載の電動車両の電源システム。
【請求項３】
前記第２の検出部による前記検出値は、前記選択された副蓄電装置の電流値であり、
前記固定値は、０である、請求項２に記載の電動車両の電源システム。
【請求項４】
前記第２の検出部による前記検出値は、前記選択された副蓄電装置の充電状態を示す状態値であり、
前記切離判定部は、前記状態値がしきい値以下である場合に、前記選択された副蓄電装置を前記第２の電圧変換器から切り離すことが必要であると判定するように構成され、
前記固定値は、前記しきい値である、請求項２に記載の電動車両の電源システム。
【請求項５】
前記パラメータ生成部は、前記第１の検出部により検出された前記第１のパラメータの検出値を前記第２のパラメータに代入することにより前記代替値を生成するように構成される、請求項１に記載の電動車両の電源システム。
【請求項６】
前記第１の検出部による前記検出値は、前記主蓄電装置の電圧値を含む、請求項５に記載の電動車両の電源システム。
【請求項７】
前記第１の検出部による前記検出値は、前記主蓄電装置の温度の値を含む、請求項５に記載の電動車両の電源システム。
【請求項８】
前記電力制御部は、前記選択された副蓄電装置に入出力される電力を目標値に一致させるフィードバック制御を実行するように構成され、
前記電源システムは、
前記切離判定部によって、前記選択された副蓄電装置の切離しが必要と判定されたときに、前記フィードバック制御を停止させるように構成された停止部をさらに備える、請求項１から７のいずれか１項に記載の電動車両の電源システム。
【請求項９】
前記複数の副蓄電装置の各々の蓄電容量は、前記主蓄電装置の蓄電容量に実質的に同じである、請求項１から８のいずれか１項に記載の電動車両の電源システム。
【請求項１０】
車両駆動パワーを発生するモータと、
前記モータを駆動するインバータと、
請求項１から９のいずれか１項に記載の電源システムとを備える、電動車両。
【発明の詳細な説明】
【技術分野】
【０００１】
この発明は、電動車両の電源システムおよび電動車両に関し、より特定的には、主蓄電装置および複数の副蓄電装置を搭載する電動車両の電源システムの制御に関する。
【背景技術】
【０００２】
近年、環境にやさしい車両として、電気自動車、ハイブリッド自動車および燃料電池自動車等の電動車両が開発され実用化されている。これらの電動車両には、車両駆動力を発生する電動機および、蓄電装置を含んで構成された電動機駆動電力を供給するための電源システムが搭載されている。
【０００３】
特に、ハイブリッド自動車の車載蓄電装置を車両外部の電源（以下、「外部電源」とも称する）によって充電する構成が提案されていることもあり、これらの電動車両では、車載蓄電装置の蓄積電力によって走行可能な距離を長くすることが求められている。なお、以下では、外部電源による車載蓄電装置の充電について、単に「外部充電」とも称する。
【０００４】
たとえば、特開２００８−１０９８４０号公報（特許文献１）および特開２００３−２０９９６９号公報（特許文献２）には、複数個の蓄電装置（バッテリ）を並列接続した電源システムが記載されている。特許文献１および２に記載の電源システムでは、蓄電装置（バッテリ）ごとに充放電調整機構としての電圧変換器（コンバータ）が設けられている。これに対して、特開２００８−１６７６２０号公報（特許文献３）には、主蓄電装置と複数の副蓄電装置とを搭載した車両において、主電源装置に対応するコンバータと、複数の副蓄電装置により共有されるコンバータとを設ける電源装置の構成が記載されている。この構成によれば、装置の要素の数を抑制しつつ蓄電可能なエネルギ量を増やすことができる。
【先行技術文献】
【特許文献】
【０００５】
【特許文献１】特開２００８−１０９８４０号公報
【特許文献２】特開２００３−２０９９６９号公報
【特許文献３】特開２００８−１６７６２０号公報
【発明の概要】
【発明が解決しようとする課題】
【０００６】
特許文献３によれば、複数の副蓄電装置のうちの１つが選択的にコンバータと接続されて、主電源装置および選択された副蓄電装置によって、車両駆動用電動機の駆動電力が供給される。このような電源装置では、使用中の副蓄電装置のＳＯＣが低下すると、新たな副蓄電装置とコンバータとを接続するようにして、複数個の副蓄電装置を順次使用することによって、蓄電エネルギによる走行距離（ＥＶ（Electric  Vehicle）走行距離）を延ばしている。さらに特許文献３によれば、副蓄電装置の電力が消費されたときには、主蓄電装置に加えてエンジンを使用することによって、副蓄電装置を使用することなく最大パワーの走行が可能となる。
【０００７】
特許文献３に記載の技術によれば、電動車両の走行中に使用される蓄電装置の個数が２から１に減少する場合が生じうる。使用される蓄電装置の個数が減少することによって、電源システムの制御に用いられるパラメータの個数が減少する可能性、あるいは、副蓄電装置に関するパラメータが異常な値を示す可能性が生じる。パラメータのこのような変化は、電源システムの制御に影響を与える可能性がある。しかしながら特許文献３においては、使用される蓄電装置の個数の減少に伴う電動車両の制御への影響について、具体的に記載されていない。
【０００８】
この発明は、このような問題点を解決するためになされたものであって、この発明の目的は、主蓄電装置および複数の副蓄電装置を備え、かつ、複数の副蓄電装置によって電圧変換器（コンバータ）を共有する構成の電源システムにおいて、複数の副蓄電装置の１つがコンバータに接続された状態から、複数の副蓄電装置のいずれもコンバータに接続されていない状態に切り換わった場合に電力の供給に関する制御を継続可能にする技術を提供することである。
【課題を解決するための手段】
【０００９】
本発明のある局面に従う電動車両の電源システムは、車両駆動パワーを発生するモータと、モータを駆動するインバータとを搭載した電動車両の電源システムである。電動車両の電源システムは、主蓄電装置と、インバータに給電する給電ラインと、第１の電圧変換器と、互いに並列に設けられた複数の副蓄電装置と、第２の電圧変換器と、接続部と、第１の検出部と、第２の検出部と、電力制御部と、切離判定部と、パラメータ生成部とを備える。第１の電圧変換器は、給電ラインと主蓄電装置との間に設けられ、双方向の電圧変換を行なうように構成される。第２の電圧変換器は、複数の副蓄電装置と給電ラインとの間に設けられ、複数の副蓄電装置のうちの選択された副蓄電装置と給電ラインの間で双方向の電圧変換を行なうように構成される。接続部は、複数の副蓄電装置と第２の電圧変換器との間に設けられ、第２の電圧変換器に対する選択された副蓄電装置の接続および切離しを行なうように構成される。第１の検出部は、主蓄電装置に関する第１のパラメータを検出するように構成される。第２の検出部は、選択された副蓄電装置に関する第２のパラメータを検出するように構成される。電力制御部は、第１および第２のパラメータに基づいて、主蓄電装置および選択された副蓄電装置の各々に対する電力の入出力を制御するように構成される。切離判定部は、選択された副蓄電装置と交換可能な新たな副蓄電装置が残っていないときに、選択された副蓄電装置の充電状態に基づいて、選択された副蓄電装置を第２の電圧変換器から切り離すことの要否を判定するように構成される。パラメータ生成部は、切換判定部によって、選択された副蓄電装置を第２の電圧変換器から切り離すことが必要と判定された場合に、第２の検出部による検出値に代わる代替値を第２のパラメータとして生成するように構成される。
【００１０】
好ましくは、代替値は、固定値である。
好ましくは、第２の検出部による検出値は、選択された副蓄電装置の電流値である。固定値は、０である。
【００１１】
好ましくは、第２の検出部による検出値は、選択された副蓄電装置の充電状態を示す状態値である。切離判定部は、状態値がしきい値以下である場合に、選択された副蓄電装置を第２の電圧変換器から切り離すことが必要であると判定するように構成される。固定値は、しきい値である。
【００１２】
好ましくは、パラメータ生成部は、第１の検出部により検出された第１のパラメータの検出値を第２のパラメータに代入することにより代替値を生成するように構成される。
【００１３】
好ましくは、第１の検出部による検出値は、主蓄電装置の電圧値を含む。
好ましくは、第１の検出部による検出値は、主蓄電装置の温度の値を含む。
【００１４】
好ましくは、電力制御部は、選択された副蓄電装置に入出力される電力を目標値に一致させるフィードバック制御を実行するように構成される。電源システムは、切換判定部によって、選択された副蓄電装置の切離しが必要と判定されたときに、フィードバック制御を停止させるように構成された停止部をさらに備える。
【００１５】
好ましくは、複数の副蓄電装置の各々の蓄電容量は、主蓄電装置の蓄電容量に実質的に同じである。
【００１６】
本発明の他の局面に従う電動車両は、車両駆動パワーを発生するモータと、モータを駆動するインバータと、上記のいずれかの電源システムとを備える。
【発明の効果】
【００１７】
この発明によると、主蓄電装置および複数の副蓄電装置を備え、かつ、複数の副蓄電装置によって電圧変換器（コンバータ）を共有する構成の電源システムにおいて、複数の蓄電装置のいずれもコンバータに接続されていない状態に切り換わったとしても、電力の供給に関する制御を継続することができる。
【図面の簡単な説明】
【００１８】
【図１】本発明の実施の形態に係る電源システムを搭載した電動車両の主たる構成を示す図である。
【図２】図１に示した各インバータの詳細な構成を示す回路図である。
【図３】図１に示した各コンバータの詳細な構成を示す回路図である。
【図４】電動車両の走行制御を説明する機能ブロック図である。
【図５】電力フィードバック制御を実現するための制御装置の構成を説明する機能ブロック図である。
【図６】本発明の実施の形態による電動車両の電源システムにおける選択副蓄電装置の切離処理の概略的な処理手順を示すフローチャートである。
【図７】図６に示した選択副蓄電装置の切離判定処理の詳細を説明するフローチャートである。
【図８】図６に示した切離前昇圧処理の詳細を説明するフローチャートである。
【図９】図６に示した電力制限変更処理の詳細を説明するフローチャートである。
【図１０】図６に示した副蓄電装置の切離処理の詳細を説明するフローチャートである。
【図１１】図６に示した昇圧停止処理の詳細を説明するフローチャートである。
【図１２】図６〜図１１で説明した本発明の実施の形態による電動車両の電源システムにおける選択副蓄電装置の切離処理における動作波形図である。
【図１３】制御装置による、電源システムの制御を継続させるための処理を説明するフローチャートである。
【図１４】本発明の実施の形態の電源システムの制御構成のうちの、選択副蓄電装置の切離処理のための機能部分を説明する機能ブロック図である。
【発明を実施するための形態】
【００１９】
以下に、本発明の実施の形態について図面を参照して詳細に説明する。なお図中の同一または相当部分には同一符号を付してその説明は原則的に繰返さないものとする。
【００２０】
図１は、本発明の実施の形態に係る電源システムを搭載した電動車両の主たる構成を示す図である。
【００２１】
図１を参照して、電動車両１は、蓄電装置であるバッテリＢＡ，ＢＢ１，ＢＢ２と、接続部３９Ａ，３９Ｂと、コンバータ１２Ａ，１２Ｂと、平滑用コンデンサＣ１，Ｃ２，ＣＨと、電圧センサ１０Ａ，１０Ｂ１，１０Ｂ２，１３，２１Ａ，２１Ｂと、温度センサ１１Ａ，１１Ｂ１，１１Ｂ２と、電流センサ９Ａ，９Ｂ１，９Ｂ２と、給電ラインＰＬ２と、インバータ１４，２２と、モータジェネレータＭＧ１，ＭＧ２と、車輪２と、動力分割機構３と、エンジン４と、制御装置３０とを含む。
【００２２】
本実施の形態に示される電動車両の電源システムは、主蓄電装置であるバッテリＢＡと、モータジェネレータＭＧ２を駆動するインバータ１４に給電を行なう給電ラインＰＬ２と、主蓄電装置（ＢＡ）と給電ラインＰＬ２との間に設けられて双方向の電圧変換を行なう電圧変換器であるコンバータ１２Ａと、互いに並列的に設けられた複数の副蓄電装置であるバッテリＢＢ１，ＢＢ２と、複数の副蓄電装置（ＢＢ１，ＢＢ２）と給電ラインＰＬ２との間に設けられて双方向の電圧変換を行なう電圧変換器であるコンバータ１２Ｂとを備える。電圧変換器（１２Ｂ）は、複数の副蓄電装置（ＢＢ１，ＢＢ２）のうちのいずれか１つに選択的に接続されて、給電ラインＰＬ２との間で双方向の電圧変換を行なう。
【００２３】
副蓄電装置（ＢＢ１またはＢＢ２の一方）と主蓄電装置（ＢＡ）とは、たとえば、同時使用することにより給電ラインに接続される電気負荷（２２，ＭＧ２）に許容された最大パワーを出力可能であるように蓄電可能容量が設定される。これによりエンジンを使用しないＥＶ（Electric  Vehicle）走行において最大パワーの走行が可能である。副蓄電装置の蓄電状態が悪化したら、副蓄電装置を交換してさらに走行させればよい。そして副蓄電装置の電力が消費されてしまったら、主蓄電装置に加えてエンジンを使用することによって、副蓄電装置を使用しないでも最大パワーの走行を可能とすることができる。
【００２４】
また、このような構成とすることにより、コンバータ１２Ｂを複数の副蓄電装置で兼用するので、コンバータの数を蓄電装置の数ほど増やさなくて良くなる。ＥＶ走行距離をさらに伸ばすには、バッテリＢＢ１，ＢＢ２に並列にさらにバッテリを追加すればよい。
【００２５】
好ましくは、この電動車両に搭載される主蓄電装置および副蓄電装置は、外部充電が可能である。このために、電動車両１は、さらに、たとえばＡＣ１００Ｖの商用電源である外部電源８に接続するためのバッテリ充電装置（充電用コンバータ）６を含む。バッテリ充電装置（６）は、交流を直流に変換するとともに電圧を調圧してバッテリの充電電力を供給する。なお、外部充電を可能とする構成としては、上記の他にも、モータジェネレータＭＧ１，ＭＧ２のステータコイルの中性点を交流電源に接続する方式やコンバータ１２Ａ，１２Ｂを合わせて交流直流変換装置として機能させる方式を用いても良い。
【００２６】
平滑用コンデンサＣ１は、電源ラインＰＬ１Ａと接地ラインＳＬ２との間に接続される。電圧センサ２１Ａは、平滑用コンデンサＣ１の両端間の電圧ＶＬＡを検出して制御装置３０に対して出力する。コンバータ１２Ａは、平滑用コンデンサＣ１の端子間電圧を昇圧して給電ラインＰＬ２へ供給することができる。
【００２７】
平滑用コンデンサＣ２は、電源ラインＰＬ１Ｂと接地ラインＳＬ２との間に接続される。電圧センサ２１Ｂは、平滑用コンデンサＣ２の両端間の電圧ＶＬＢを検出して制御装置３０に対して出力する。コンバータ１２Ｂは、平滑用コンデンサＣ２の端子間電圧を昇圧して給電ラインＰＬ２へ供給することができる。
【００２８】
平滑用コンデンサＣＨは、コンバータ１２Ａ，１２Ｂによって昇圧された電圧を平滑化する。電圧センサ１３は、平滑用コンデンサＣＨの端子間電圧ＶＨを検知して制御装置３０に出力する。
【００２９】
あるいは、逆方向に、コンバータ１２Ａ，１２Ｂは、平滑用コンデンサＣＨによって平滑化された端子間電圧ＶＨを降圧して、電源ラインＰＬ１Ａ，ＰＬ１Ｂへ供給することができる。
【００３０】
インバータ１４は、コンバータ１２Ｂおよび／または１２Ａから与えられる直流電圧を三相交流電圧に変換してモータジェネレータＭＧ１に出力する。インバータ２２は、コンバータ１２Ｂおよび／または１２Ａから与えられる直流電圧を三相交流電圧に変換してモータジェネレータＭＧ２に出力する。
【００３１】
動力分割機構３は、エンジン４およびモータジェネレータＭＧ１，ＭＧ２に結合されてこれらの間で動力を分配する機構である。たとえば動力分割機構としてはサンギヤ、プラネタリキャリヤ、リングギヤの３つの回転軸を有する遊星歯車機構を用いることができる。遊星歯車機構は、３つの回転軸のうち２つの回転軸の回転が定まれば、他の１つの回転軸の回転は強制的に定まる。この３つの回転軸がエンジン４、モータジェネレータＭＧ１，ＭＧ２の各回転軸にそれぞれ接続される。なおモータジェネレータＭＧ２の回転軸は、図示しない減速ギヤや差動ギヤによって車輪２に結合されている。また動力分割機構３の内部にモータジェネレータＭＧ２の回転軸に対する減速機をさらに組み込んでもよい。
【００３２】
接続部３９Ａは、バッテリＢＡの正極と電源ラインＰＬ１Ａとの間に接続されるシステムメインリレーＳＭＲ２と、システムメインリレーＳＭＲ２と並列接続される直列に接続されたシステムメインリレーＳＭＲ１および制限抵抗Ｒと、バッテリＢＡの負極（接地ラインＳＬ１）とノードＮ２との間に接続されるシステムメインリレーＳＭＲ３とを含む。
【００３３】
システムメインリレーＳＭＲ１〜ＳＭＲ３は、制御装置３０から与えられるリレー制御信号ＣＯＮＴ１〜ＣＯＮＴ３にそれぞれ応じて導通状態（オン）／非導通状態（オフ）が制御される。
【００３４】
電圧センサ１０Ａは、バッテリＢＡの端子間の電圧ＶＢＡを測定する。さらに、温度センサ１１Ａは、バッテリＢＡの温度ＴＡを測定し、電流センサ９Ａは、バッテリＢＡの入出力電流ＩＡを測定する。これらのセンサによる測定値は、制御装置３０へ出力される。制御装置３０は、これらの測定値に基づいて、ＳＯＣ（State  of  Charge）に代表されるバッテリＢＡの状態を監視する。
【００３５】
接続部３９Ｂは、電源ラインＰＬ１Ｂおよび接地ラインＳＬ２とバッテリＢＢ１，ＢＢ２との間に設けられている。接続部３９Ｂは、バッテリＢＢ１の正極と電源ラインＰＬ１Ｂとの間に接続されるリレーＳＲ１と、バッテリＢＢ１の負極と接地ラインＳＬ２との間に接続されるリレーＳＲ１Ｇと、バッテリＢＢ２の正極と電源ラインＰＬ１Ｂとの間に接続されるリレーＳＲ２と、バッテリＢＢ２の負極と接地ラインＳＬ２との間に接続されるリレーＳＲ２Ｇとを含む。
【００３６】
リレーＳＲ１，ＳＲ２は、制御装置３０から与えられるリレー制御信号ＣＯＮＴ４，ＣＯＮＴ５にそれぞれ応じて導通状態（オン）／非導通状態（オフ）が制御される。リレーＳＲ１Ｇ，ＳＲ２Ｇは、制御装置３０から与えられるリレー制御信号ＣＯＮＴ６，ＣＯＮＴ７にそれぞれ応じて導通状態（オン）／非導通状態（オフ）が制御される。接地ラインＳＬ２は、後に説明するようにコンバータ１２Ａ，１２Ｂの中を通ってインバータ１４および２２側に延びている。
【００３７】
電圧センサ１０Ｂ１および１０Ｂ２は、バッテリＢＢ１およびＢＢ２の端子間の電圧ＶＢＢ１およびＶＢＢ２をそれぞれ測定する。さらに、温度センサ１１Ｂ１および１１Ｂ２は、バッテリＢＢ１およびＢＢ２の温度ＴＢＢ１およびＴＢＢ２をそれぞれ測定する。また電流センサ９Ｂ１および９Ｂ２は、バッテリＢＢ１およびＢＢ２の入出力電流ＩＢ１およびＩＢ２を測定する。これらのセンサによる測定値は、制御装置３０へ出力される。制御装置３０は、これらの測定値に基づいて、ＳＯＣに代表されるバッテリＢＢ１，ＢＢ２の状態を監視する。
【００３８】
なお、バッテリＢＡ，ＢＢ１，ＢＢ２としては、たとえば、鉛蓄電池、ニッケル水素電池、リチウムイオン電池等の二次電池や、電気二重層コンデンサ等の大容量キャパシタなどを用いることができる。
【００３９】
また、各蓄電装置の蓄電容量は、たとえば電動車両１に必要とされる走行性能等の条件に応じて定めることができる。よって、主蓄電装置と副蓄電装置とで蓄電容量が異なっていてもよい。また、複数の副蓄電装置間で蓄電容量が異なっていてもよい。ただし、本発明の実施の形態では、バッテリＢＡ，ＢＢ１，ＢＢ２の蓄電容量（蓄積可能な電力量の最大値）はいずれも同じである。
【００４０】
インバータ１４は、給電ラインＰＬ２および接地ラインＳＬ２に接続されている。インバータ１４は、コンバータ１２Ａおよび／または１２Ｂから昇圧された電圧を受けて、たとえばエンジン４を始動させるために、モータジェネレータＭＧ１を駆動する。また、インバータ１４は、エンジン４から伝達される動力によってモータジェネレータＭＧ１で発電された電力をコンバータ１２Ａおよび１２Ｂに戻す。このときコンバータ１２Ａおよび１２Ｂは、降圧コンバータとして動作するように制御装置３０によって制御される。
【００４１】
電流センサ２４は、モータジェネレータＭＧ１に流れる電流をモータ電流値ＭＣＲＴ１として検出し、モータ電流値ＭＣＲＴ１を制御装置３０へ出力する。
【００４２】
インバータ２２は、インバータ１４と並列的に、給電ラインＰＬ２と接地ラインＳＬ２に接続されている。インバータ２２は車輪２を駆動するモータジェネレータＭＧ２に対してコンバータ１２Ａおよび１２Ｂの出力する直流電圧を三相交流電圧に変換して出力する。またインバータ２２は、回生制動に伴い、モータジェネレータＭＧ２において発電された電力をコンバータ１２Ａおよび１２Ｂに戻す。このときコンバータ１２Ａおよび１２Ｂは、降圧コンバータとして動作するように制御装置３０によって制御される。
【００４３】
電流センサ２５は、モータジェネレータＭＧ２に流れる電流をモータ電流値ＭＣＲＴ２として検出し、モータ電流値ＭＣＲＴ２を制御装置３０へ出力する。
【００４４】
制御装置３０は、図示しないＣＰＵ（Central  Processing  Unit）およびメモリを内蔵した電子制御ユニット（ＥＣＵ）により構成され、当該メモリに記憶されたマップおよびプログラムに基づいて、各センサによる測定値を用いた演算処理を行なう。なお、制御装置３０の一部については、電子回路等のハードウェアにより所定の数値・論理演算処理を実行するように構成されてもよい。
【００４５】
具体的には、制御装置３０は、モータジェネレータＭＧ１，ＭＧ２の各トルク指令値および各回転速度、電圧ＶＢＡ，ＶＢＢ１，ＶＢＢ２，ＶＬＡ，ＶＬＢ，ＶＨの各値、モータ電流値ＭＣＲＴ１，ＭＣＲＴ２および起動信号ＩＧＯＮを受ける。そして制御装置３０は、コンバータ１２Ａに対して昇圧指示を行なう制御信号ＰＷＵＡ，降圧指示を行なう制御信号ＰＷＤＡ、コンバータ１２Ａの上アームおよび下アームをそれぞれオン状態およびオフ状態に固定する制御信号ＰＷＦＡ、および動作禁止を指示するシャットダウン信号を出力する。
【００４６】
同様に、制御装置３０は、コンバータ１２Ｂに対して昇圧指示を行なう制御信号ＰＷＵＢ，降圧指示を行なう制御信号ＰＷＤＢ、コンバータ１２Ｂの上アームおよび下アームをそれぞれオン状態およびオフ状態に固定する制御信号ＰＷＦＢ、および動作禁止を指示するシャットダウン信号を出力する。
【００４７】
さらに、制御装置３０は、インバータ１４に対してコンバータ１２Ａ，１２Ｂの出力である直流電圧を、モータジェネレータＭＧ１を駆動するための交流電圧に変換する駆動指示を行なう制御信号ＰＷＭＩ１と、モータジェネレータＭＧ１で発電された交流電圧を直流電圧に変換してコンバータ１２Ａ，１２Ｂ側に戻す回生指示を行なう制御信号ＰＷＭＣ１とを出力する。
【００４８】
同様に制御装置３０は、インバータ２２に対してモータジェネレータＭＧ２を駆動するための交流電圧に直流電圧を変換する駆動指示を行なう制御信号ＰＷＭＩ２と、モータジェネレータＭＧ２で発電された交流電圧を直流電圧に変換してコンバータ１２Ａ，１２Ｂ側に戻す回生指示を行なう制御信号ＰＷＭＣ２とを出力する。
【００４９】
図２は、図１に示した各インバータの詳細な構成を示す回路図である。
図２を参照して、インバータ１４は、Ｕ相アーム１５と、Ｖ相アーム１６と、Ｗ相アーム１７とを含む。Ｕ相アーム１５、Ｖ相アーム１６、およびＷ相アーム１７は、給電ラインＰＬ２と接地ラインＳＬ２との間に並列に接続される。
【００５０】
Ｕ相アーム１５は、給電ラインＰＬ２と接地ラインＳＬ２との間に直列接続されたＩＧＢＴ（Insulated  Gate  Bipolar  Transistor）素子Ｑ３，Ｑ４と、ＩＧＢＴ素子Ｑ３，Ｑ４と、それぞれの逆並列ダイオードＤ３，Ｄ４とを含む。ダイオードＤ３のカソードはＩＧＢＴ素子Ｑ３のコレクタと接続され、ダイオードＤ３のアノードはＩＧＢＴ素子Ｑ３のエミッタと接続される。ダイオードＤ４のカソードはＩＧＢＴ素子Ｑ４のコレクタと接続され、ダイオードＤ４のアノードはＩＧＢＴ素子Ｑ４のエミッタと接続される。
【００５１】
Ｖ相アーム１６は、給電ラインＰＬ２と接地ラインＳＬ２との間に直列接続されたＩＧＢＴ素子Ｑ５，Ｑ６と、それぞれの逆並列ダイオードＤ５，Ｄ６とを含む。ＩＧＢＴ素子Ｑ５，Ｑ６および逆並列ダイオードＤ５，Ｄ６の接続は、Ｕ相アーム１５と同様である。
【００５２】
Ｗ相アーム１７は、給電ラインＰＬ２と接地ラインＳＬ２との間に直列接続されたＩＧＢＴ素子Ｑ７，Ｑ８と、それぞれの逆並列ダイオードＤ７，Ｄ８とを含む。ＩＧＢＴ素子Ｑ７，Ｑ８および逆並列ダイオードＤ７，Ｄ８の接続も、Ｕ相アーム１５と同様である。
【００５３】
なお、本実施の形態において、ＩＧＢＴ素子は、オンオフ制御可能な電力用半導体スイッチング素子の代表例として示される。すなわち、バイポーラトランジスタや電界効果トランジスタ等の電力用半導体スイッチング素子をＩＧＢＴ素子に代えて用いることも可能である。
【００５４】
各相アームの中間点は、モータジェネレータＭＧ１の各相コイルの各相端に接続されている。すなわち、モータジェネレータＭＧ１は、三相の永久磁石同期モータであり、Ｕ，Ｖ，Ｗ相の３つのコイルは各々一方端が中点に共に接続されている。そして、Ｕ相コイルの他方端がＩＧＢＴ素子Ｑ３，Ｑ４の接続ノードから引出されたラインＵＬに接続される。またＶ相コイルの他方端がＩＧＢＴ素子Ｑ５，Ｑ６の接続ノードから引出されたラインＶＬに接続される。またＷ相コイルの他方端がＩＧＢＴ素子Ｑ７，Ｑ８の接続ノードから引出されたラインＷＬに接続される。
【００５５】
なお、図１のインバータ２２についても、モータジェネレータＭＧ２に接続される点が異なるが、内部の回路構成についてはインバータ１４と同様であるので詳細な説明は繰返さない。また、図２には、インバータに制御信号ＰＷＭＩ，ＰＷＭＣが与えられることが記載されているが、記載が複雑になるのを避けるためであり、図１に示されるように、別々の制御信号ＰＷＭＩ１，ＰＷＭＣ１と制御信号ＰＷＭＩ２，ＰＷＭＣ２がそれぞれインバータ１４，２２に入力される。
【００５６】
図３は、図１に示した各コンバータの詳細な構成を示す回路図である。
図３を参照して、コンバータ１２Ａは、一方端が電源ラインＰＬ１Ａに接続されるリアクトルＬ１と、給電ラインＰＬ２と接地ラインＳＬ２との間に直列に接続されるＩＧＢＴ素子Ｑ１，Ｑ２と、それぞれの逆並列ダイオードＤ１，Ｄ２とを含む。
【００５７】
リアクトルＬ１の他方端はＩＧＢＴ素子Ｑ１のエミッタおよびＩＧＢＴ素子Ｑ２のコレクタに接続される。ダイオードＤ１のカソードはＩＧＢＴ素子Ｑ１のコレクタと接続され、ダイオードＤ１のアノードはＩＧＢＴ素子Ｑ１のエミッタと接続される。ダイオードＤ２のカソードはＩＧＢＴ素子Ｑ２のコレクタと接続され、ダイオードＤ２のアノードはＩＧＢＴ素子Ｑ２のエミッタと接続される。ＩＧＢＴ素子Ｑ１，Ｑ２は上アームおよび下アームにそれぞれ対応する。
【００５８】
なお、図１のコンバータ１２Ｂについても、電源ラインＰＬ１Ａに代えて電源ラインＰＬ１Ｂに接続される点がコンバータ１２Ａと異なるが、内部の回路構成についてはコンバータ１２Ａと同様であるので詳細な説明は繰返さない。また、図３には、コンバータに制御信号ＰＷＵ，ＰＷＤ，ＰＷＦが与えられることが記載されているが、記載が複雑になるのを避けるためであり、図１に示されるように、別々の制御信号ＰＷＵＡ，ＰＷＤＡ，ＰＷＦＡと制御信号ＰＷＵＢ，ＰＷＤＢ，ＰＷＦＢとがそれぞれコンバータ１２Ａ，１２Ｂに入力される。
【００５９】
電動車両１の電源システムでは、バッテリＢＡ（主蓄電装置）と、バッテリＢＢ１，ＢＢ２のうちの選択された副蓄電装置（以下、「選択副蓄電装置ＢＢ」とも称する）とによって、モータジェネレータＭＧ１，ＭＧ２との間での電力の授受が行なわれる。
【００６０】
制御装置３０は、電圧センサ１０Ａ、温度センサ１１Ａおよび電流センサ９Ａの検出値に基づいて、主蓄電装置の残存容量を示すＳＯＣ（ＢＡ）、充電電力の上限値を示す入力上限電力Ｗｉｎ（Ｍ）、および、放電電力の上限値を示す出力上限電力Ｗｏｕｔ（Ｍ）を設定する。
【００６１】
さらに、制御装置３０は、電圧センサ１０Ｂ１，１０Ｂ２、温度センサ１１Ｂ１，１１Ｂ２および電流センサ９Ｂ１，９Ｂ２の検出値に基づいて、選択副蓄電装置ＢＢについてのＳＯＣ（ＢＢ）および入出力上限電力Ｗｉｎ（Ｓ），Ｗｏｕｔ（Ｓ）を設定する。
【００６２】
一般的に、ＳＯＣは、各バッテリの満充電状態に対する現在の充電量の割合（％）によって示される。また、Ｗｉｎ，Ｗｏｕｔは、所定時間（たとえば１０秒程度）当該電力を放電しても当該バッテリ（ＢＡ，ＢＢ１，ＢＢ２）が過充電または過放電とならないような電力の上限値として示される。
【００６３】
図４には、制御装置３０によって実現される電動車両１の走行制御、具体的には、エンジン４およびモータジェネレータＭＧ１，ＭＧ２の間でのパワー配分制御に係る制御構成を説明するための機能ブロック図が示される。なお、図４に示される各機能ブロックは、制御装置３０による予め記憶された所定プログラムの実行および／または制御装置３０内の電子回路（ハードウェア）による演算処理によって実現されるものとする。
【００６４】
図４を参照して、トータルパワー算出部２６０は、車速およびペダル操作（アクセルペダル）に基づいて、電動車両１全体でのトータル要求パワーＰｔｔｌを算出する。なお、トータル要求パワーＰｔｔｌには、車両状況に応じて、モータジェネレータＭＧ１によるバッテリ充電電力の発生のために要求されるパワー（エンジン出力）、およびエアコン等の補機の動作電力（推定値）も含まれ得る。
【００６５】
走行制御部２５０には、主蓄電装置ＢＡの入出力上限電力Ｗｉｎ（Ｍ），Ｗｏｕｔ（Ｍ）および選択副蓄電装置ＢＢの入出力上限電力Ｗｉｎ（Ｓ），Ｗｏｕｔ（Ｓ）と、トータルパワー算出部２６０からのトータル要求パワーＰｔｔｌと、ブレーキペダル操作時の回生ブレーキ要求と、主蓄電装置および副蓄電装置の各々の入出力電力に関するパラメータ（電力パラメータ）とが入力される。
【００６６】
電力パラメータは、主蓄電装置ＢＡの電圧ＶＢＡ、温度ＴＡ、電流ＩＡ、選択蓄電装置ＢＡの電圧ＶＢＢ、温度ＴＢＢ、電流ＩＢ、コンバータ１２Ａの入力電圧ＶＬＡ、コンバータ１２Ｂの入力電圧ＶＬＢ、およびコンバータ１２Ａ，１２Ｂの出力電圧ＶＨである。電圧センサ１０Ａ、温度センサ１１Ａ、電流センサ９Ａ、電圧センサ２１Ａは、主蓄電装置ＢＡに関するパラメータを検出するための第１の検出部に含まれる。一方、電圧センサ１０Ｂ１，１０Ｂ２、温度センサ１１Ｂ１，１１Ｂ２、電流センサ９Ｂ１，９Ｂ２、電圧センサ２１Ｂは、選択副蓄電装置ＢＢに関するパラメータを検出するための第２の検出部に含まれる。
【００６７】
基本的にはセンサの検出値がこれらのパラメータの値として用いられる。ただし後述するように、本発明の実施の形態ではセンサ値に代わる値が電力パラメータとして走行制御部２５０に入力される場合も生じうる。走行制御部２５０は、モータジェネレータＭＧ１，ＭＧ２トータルの入出力電力の和（必要な場合には、補機の動作電力がその和に追加される）が、主蓄電装置ＢＡおよび選択副蓄電装置ＢＢトータルの充電制限（Ｗｉｎ（Ｍ）＋Ｗｉｎ（Ｓ））および放電制限（Ｗｏｕｔ（Ｍ）＋Ｗｏｕｔ（Ｓ））の範囲内となるように、モータ制御指令としてのトルク指令値Ｔｑｃｏｍ１およびＴｑｃｏｍ２を生成する。
【００６８】
さらに、トータル要求パワーＰｔｔｌが確保されるように、モータジェネレータＭＧ２による車両駆動パワーと、エンジン４による車両駆動パワーとが配分される。特に、外部充電されたバッテリ電力を最大限に利用してエンジン４の作動を抑制すること、あるいは、エンジン４による車両駆動パワーをエンジン４が高効率で作動可能な領域に対応して設定することによって、高燃費の車両走行制御が実現される。
【００６９】
インバータ制御部２７０は、トルク指令値Ｔｑｃｏｍ１およびモータジェネレータＭＧ１のモータ電流値ＭＣＲＴ１に基づいて、インバータ１４の制御信号ＰＷＭＩ１，ＰＷＭＣ１を生成する。同様に、インバータ制御部２８０は、トルク指令値Ｔｑｃｏｍ２およびモータジェネレータＭＧ２のモータ電流値ＭＣＲＴ２に基づいて、インバータ２２の制御信号ＰＷＭＩ２，ＰＷＭＣ２を生成する。また、走行制御部２５０は、設定されたエンジンによる車両駆動パワーの要求値に応じてエンジン制御指令を生成する。さらに、図示しない制御装置（エンジンＥＣＵ）によって、上記エンジン制御指令に従ってエンジン４の動作が制御される。
【００７０】
制御装置３０は、バッテリ電力を積極的に使用して車両走行を行なう走行モード（ＥＶモード）のときには、トータル要求パワーＰｔｔｌがバッテリ全体での出力上限電力Ｗｏｕｔ（Ｍ）＋Ｗｏｕｔ（Ｓ）以下であるときには、エンジン４を作動させることなく、モータジェネレータＭＧ２による車両駆動パワーのみによって走行する。一方で、トータル要求パワーＰｔｔｌがＷｏｕｔ（Ｍ）＋Ｗｏｕｔ（Ｓ）を超えたときには、エンジン４が始動される。
【００７１】
これに対して、当該ＥＶモードが選択されない走行モード（ＨＶモード）のときには、制御装置３０は、バッテリＳＯＣが所定目標値に維持されるように、エンジン４およびモータジェネレータＭＧ２での間での駆動力パワー配分を制御する。すなわち、ＥＶモードと比較して、エンジン４が作動されやすい走行制御がなされる。
【００７２】
本実施の形態では、制御装置３０は、主蓄電装置ＢＡのＳＯＣおよび選択副蓄電装置ＢＢのＳＯＣの平均値（以下、単に「ＳＯＣの平均値」と呼ぶ）に基づいて、ＥＶモードからＨＶモードへの走行モードの切換えの要否を判断する。具体的には、ＳＯＣの平均値が所定のしきい値を下回った場合に、制御装置３０はＥＶモードからＨＶモードへの切換えが必要と判断する。
【００７３】
さらに、本実施の形態では、コンバータ１２Ａによる電圧制御と、コンバータ１２Ｂによる電流制御（電力制御）とによって、コンバータ１２Ａ，１２Ｂの出力電圧（インバータ１４，２２の入力電圧）に相当する電圧ＶＨを制御することができるだけでなく、主蓄電装置ＢＡと選択副蓄電装置ＢＢとの充放電バランスを制御することができる。
【００７４】
コンバータ１２Ｂによる電力制御とは、具体的には以下の通りである。まず、コンバータ１２Ｂによって選択副蓄電装置ＢＢの入出力電力を制御することにより、主蓄電装置ＢＡおよび選択副蓄電装置の各々の入出力電力の総和をトータル要求パワーＰｔｔｌ（目標値）と一致させるためのフィードバック制御が実行される。さらに、コンバータ１２Ｂが選択副蓄電装置ＢＢに対して実際に入出力される電力を指令値（目標値）と一致させるためのフィードバック制御も実行される。本実施の形態では、これらのフィードバック制御を「電力フィードバック制御」と総称することにする。
【００７５】
なお、コンバータ１２Ａによる電圧制御と、コンバータ１２Ｂによる電流制御（電力制御）とは、たとえば走行制御部２５０によって実現される。すなわち、走行制御部２５０は、主蓄電装置ＢＡおよび選択副蓄電装置ＢＢの電力パラメータに基づいて、主蓄電装置ＢＡおよび選択副蓄電装置ＢＢの各々に入出力される電力を制御する。
【００７６】
図５は、電力フィードバック制御を実現するための制御装置３０の構成を説明する機能ブロック図である。
【００７７】
図５を参照して、分配率算出部５１は、主蓄電装置ＢＡのＳＯＣであるＳＯＣ（ＢＡ）および選択副蓄電装置ＢＢのＳＯＣであるＳＯＣ（ＢＢ）を受ける。分配率算出部５１はＳＯＣ（ＢＡ），ＳＯＣ（ＢＢ）に基づいて、トータル要求パワーＰｔｔｌのうち、選択副蓄電装置ＢＢが負担するパワーの割合を示す分配率を算出する。
【００７８】
たとえば分配率算出部５１は、主蓄電装置ＢＡおよび選択副蓄電装置ＢＢの各々について、ＳＯＣの下限値と現在のＳＯＣとの差分、および蓄電容量に基づいて、現在の残存電力量を算出する。そして、その算出された残存電力量の比率に応じて分配率が算出される。
【００７９】
指令値生成部５２は、トータル要求パワーＰｔｔｌに分配率を乗じることによって、コンバータ１２Ｂが選択副蓄電装置ＢＢに対して電力を入出力するための指令値Ｐｃｏｍ（Ｓ）＊を算出する。
【００８０】
電力算出部５３は、主蓄電装置ＢＡおよび選択副蓄電装置ＢＢの各々についての電力パラメータに基づいて、主蓄電装置ＢＡに入出力される電力Ｐ（Ｍ）と選択副蓄電装置ＢＢに入出力される電力Ｐ（Ｓ）との和、すなわちＰ（Ｍ）＋Ｐ（Ｓ）を算出する。ここでの電力パラメータは、各蓄電装置の電圧値（ＶＢＡ，ＶＢＢ）、各蓄電装置の電流値（ＩＡ，ＩＢ）、各コンバータの入力電圧（ＶＬＡ，ＶＬＢ）および両コンバータの出力電圧（ＶＨ）を含む。
【００８１】
偏差算出部５４は、トータル要求パワーＰｔｔｌからＰ（Ｍ），Ｐ（Ｓ）の合計を減算することによって、選択副蓄電装置ＢＢの入出力電力の偏差ΔＰ（Ｓ）を算出する。
【００８２】
補正部５５は、指令値生成部５２からの指令値Ｐｃｏｍ（Ｓ）＊を、偏差算出部５４により算出された偏差ΔＰ（Ｓ）によって補正することにより、指令値Ｐｃｏｍ（Ｓ）を算出する。たとえばＰｃｏｍ（Ｓ）＝ΔＰ（Ｓ）＋Ｐｃｏｍ（Ｓ）＊と算出される。このように、実際のパワーをトータル要求パワーＰｔｔｌと一致させるために、指令値Ｐｃｏｍ（Ｓ）によって選択副蓄電装置ＢＢの入出力電力が調整される。
【００８３】
信号生成部５６は、補正部５５からの指令値Ｐｃｏｍ（Ｓ）、選択副蓄電装置ＢＢの各々についての電力パラメータ（電流ＩＢ、電圧ＶＢＢ、コンバータ１２Ｂの入力電圧ＶＬＢおよびコンバータ１２Ｂの出力電圧ＶＨ）に基づいて、たとえばコンバータ１２Ｂの電圧変換比（＝ＶＨ／ＶＬＢ）を設定するとともに、その昇圧比を実現するための制御信号ＰＷＵＢ，ＰＷＤＢ，ＰＷＦＢを生成する。なお、昇圧比が１の場合には、制御信号ＰＷＦＢが生成される。
【００８４】
図４に戻り、ＥＶモードでは、主蓄電装置ＢＡよりも選択副蓄電装置ＢＢの電力を優先的に使用するような充放電制御がなされる。このため、車両走行中に使用中の選択副蓄電装置ＢＢのＳＯＣが低下すると、選択副蓄電装置ＢＢを切換える必要が生じる。たとえば、車両起動時にバッテリＢＢ１を選択副蓄電装置ＢＢとした場合には、バッテリＢＢ１をコンバータ１２Ｂから切離す一方で、バッテリＢＢ２を新たな選択副蓄電装置ＢＢとしてコンバータ１２Ｂと接続する接続切換処理を実行する必要が生じる。
【００８５】
新たに選択副蓄電装置ＢＢとされるバッテリＢＢ２は、これまで使用していたバッテリＢＢ１よりも出力電圧が高いことが一般的である。
【００８６】
また、選択副蓄電装置ＢＢを切換える以前においても、主蓄電装置ＢＡと使用中の選択副蓄電装置ＢＢとの間で出力電圧が異なることが起こりうる。
【００８７】
本実施の形態では、主蓄電装置および選択副蓄電装置の両方の使用時、および、選択副蓄電装置ＢＢの切換時に、電圧ＶＨが蓄電装置の電圧（ＶＢＡ，ＶＢＢ）よりも高くなるよう、コンバータ１２Ａ，１２Ｂの少なくとも一方が昇圧動作を行なう。これにより主蓄電装置と選択副蓄電装置との短絡を防ぐことが可能になる。
【００８８】
しかしながらコンバータによる昇圧動作の際にはＩＧＢＴ素子（スイッチング素子）のスイッチングによる損失が発生する。
【００８９】
また、インバータの損失を低減するために、一般的なＰＷＭ（Pulse  Width  Modulation）制御よりもインバータの損失を低減可能な矩形波電圧制御を適用することが求められる場合も起こりうる。矩形波電圧制御ではＰＷＭ制御に比較して単位時間当たりのスイッチング素子のスイッチング回数が少なくなるので、インバータの損失を低減できる。これにより電動車両（ハイブリッド車両）の燃費の向上を図ることができる。しかし、コンバータ１２Ａ，１２Ｂの少なくとも一方が昇圧動作を行なっている場合には、矩形波電圧制御を実行することは容易ではない。
【００９０】
そこで本実施の形態に係る電源システムでは、コンバータ１２Ｂに現在接続された選択副蓄電装置と交換可能な新たな副蓄電装置が残っていない場合には、現在の選択副蓄電装置ＢＢがコンバータ１２Ｂから切り離されるとともに、コンバータ１２Ｂが停止される。選択副蓄電装置ＢＢがコンバータ１２Ｂから切り離されることによって、主蓄電装置と選択副蓄電装置との短絡を防止できる。これにより、コンバータ１２Ａの上アーム（図３に示すＩＧＢＴ素子Ｑ１）をオンに固定することができる。コンバータ１２Ａの上アームをオン状態に固定することによって、電源ラインＰＬ１Ａと給電ラインＰＬ２とが電気的に接続される。
【００９１】
コンバータ１２Ａの上アームをオンに固定した場合には、ＩＧＢＴ素子のスイッチングが停止されるため電源システムの損失を低減することができる。さらに、インバータの制御に矩形波電圧制御を適用できるので、電動車両（ハイブリッド車両）の燃費向上を図ることもできる。
【００９２】
なお、新たな副蓄電装置が残っていない状態で選択副蓄電装置がコンバータ１２Ｂから切り離されたときに、コンバータ１２Ａの上アームはオン状態に固定されると限定されるものではない。たとえばインバータに対して矩形波電圧制御が実行される場合であっても、モータジェネレータが要求されるトルクを発生させるために、コンバータ１２Ａによる昇圧が必要となる場合も生じ得る。
【００９３】
次に、選択副蓄電装置をコンバータ１２Ｂから切り離すための処理について具体的に説明する。
【００９４】
図６は、本発明の実施の形態による電動車両の電源システムにおける選択副蓄電装置の切離処理の概略的な処理手順を示すフローチャートである。また、図７〜図１１は、図６のステップＳ１００、Ｓ２００、Ｓ３００、Ｓ４００、およびＳ５００の詳細を説明するフローチャートである。
【００９５】
制御装置３０は、予め記憶した所定プログラムを所定周期で実行することによって、図６〜図１１に示されるフローチャートに従う制御処理手順を所定周期で繰り返し実行することができる。これにより、本発明の実施の形態による電動車両の電源システムにおける副蓄電装置の切離し処理が実現できる。
【００９６】
図６を参照して、制御装置３０は、ステップＳ１００では、選択副蓄電装置の切離判定処理を実行する。そして、選択副蓄電装置の切離しが必要と判定されたときには、以下のステップＳ２００〜Ｓ５００が実行される。一方、ステップＳ１００で選択副蓄電装置の切離しが不要と判定されたときには、ステップＳ２００〜Ｓ５００は、実質的に非実行とされる。
【００９７】
制御装置３０は、ステップＳ２００では、切離前昇圧処理を実行し、ステップＳ３００では、副蓄電装置の切離期間中に電源システムに対して過大な充放電要求が発生しないように、電力制限変更処理を実行する。制御装置３０は、ステップＳ４００により、選択副蓄電装置ＢＢをコンバータ１２Ｂから実際に切り離す処理を実行する。制御装置３０は、ステップＳ５００により、ステップＳ２００において実行された昇圧処理を停止させるための昇圧停止処理を実行する。
【００９８】
図７は、図６における選択副蓄電装置の切離判定処理（Ｓ１００）の詳細を説明するフローチャートである。
【００９９】
なお、以下に説明するように、切離処理の進行状況（ステータス）を示す変数ＩＤが導入される。変数ＩＤ＝−１，０〜４のいずれかに設定される。
【０１００】
ＩＤ＝０は、副蓄電装置の切離し要求が発生していない状態を示す。すなわち、ＩＤ＝０のときには、現在の選択副蓄電装置ＢＢによる電力供給が実行される一方で、選択副蓄電装置ＢＢの切離し要否が所定周期で判定されることになる。また、主蓄電装置のみではモータジェネレータＭＧ１，ＭＧ２に十分な電力を供給できないとき、あるいは接続部３９Ｂの故障時など、選択副蓄電装置ＢＢの切離しが禁止されるときには、ＩＤ＝−１に設定されるものとする。
【０１０１】
図６を参照して、制御装置３０は、ステップＳ１０５により、ＩＤ＝０かどうかを判定する。ＩＤ＝０のとき（Ｓ１０５のＹＥＳ判定時）には、制御装置３０は、ステップＳ１１０により、選択副蓄電装置の切離要否判定を実行する。使用中の副蓄電装置のＳＯＣが所定の判定値（しきい値）よりも低下し、かつ、使用中の選択副蓄電装置と交換可能な新たな副蓄電装置が残っていない場合に、選択副蓄電装置の切離が必要と判定される。
【０１０２】
制御装置３０は、ステップＳ１５０により、ステップＳ１１０による切離要否判定結果を確認する。そして、切離しが必要と判定されたとき（ステップＳ１５０のＹＥＳ判定時）には、制御装置３０は、ステップＳ１８０により、切離処理を進めるために、ＩＤ＝１に設定する。すなわち、ＩＤ＝１は、選択副蓄電装置ＢＢの切離要求が生成されて、切離処理が開始された状態を示している。
【０１０３】
一方、ステップＳ１１０により選択副蓄電装置の切離しが不要と判定されたとき（Ｓ１５０のＮＯ判定時）には、制御装置３０は、ステップＳ１７０によりＩＤ＝０に維持する。また、一旦ＩＤ≧１となって切離処理が開始されているとき、あるいは、副蓄電装置の切離しが禁止されているためにＩＤ＝−１に設定されているときには（Ｓ１０５のＮＯ判定時）、ステップＳ１１０〜Ｓ１８０の処理はスキップされる。
【０１０４】
図８は、図６に示した切離前昇圧処理（Ｓ２００）の詳細を説明するフローチャートである。
【０１０５】
図８を参照して、制御装置３０は、切離前昇圧処理では、ステップＳ２０５により、ＩＤ＝１であるかどうかを確認する。そして、ＩＤ＝１であり、選択副蓄電装置ＢＢの切離要求がなされて、切離処理が開始されたとき（Ｓ２０５のＹＥＳ判定時）には、制御装置３０は、ステップＳ２１０により、給電ラインＰＬ２の電圧ＶＨを所定電圧Ｖ１まで昇圧するように、コンバータ１２Ａに対する昇圧指令を発生する。この昇圧指令に応答して給電ラインＰＬ２の電圧指令値ＶＨｒｅｆ＝Ｖ１に設定され、この電圧指令値が実現されるようにコンバータ１２Ａの制御信号ＰＷＵＡが生成される。
【０１０６】
ここで所定電圧Ｖ１は、主蓄電装置ＢＡおよび選択副蓄電装置ＢＢ（たとえばＢＢ２）の出力電圧のうちの高い方の電圧よりも高い電圧に設定される。たとえば、所定電圧Ｖ１を、コンバータ１２Ａによる昇圧可能な制御上限電圧ＶＨｍａｘとすることによって、昇圧指令時の電圧ＶＨを、主蓄電装置ＢＡおよび切換後の選択副蓄電装置ＢＢの出力電圧の両方よりも、確実に高くすることができる。あるいは、コンバータ１２Ａでの損失を低減する観点から、その時点での主蓄電装置ＢＡおよび選択副蓄電装置ＢＢの出力電圧に応じて、マージンを持たせて所定電圧Ｖ１を都度決定してもよい。
【０１０７】
ステップＳ２１０により昇圧指令が発生されると、制御装置３０は、ステップＳ２２０により、電圧センサ１３の検出値に基づき電圧ＶＨが所定電圧Ｖ１に到達したかどうかを判定する。たとえば、所定時間継続してＶＨ≧Ｖ１となったときに、ステップＳ２２０はＹＥＳ判定とされる。
【０１０８】
電圧ＶＨが所定電圧Ｖ１に到達すると（Ｓ２２０のＹＥＳ判定時）、制御装置３０は、ＩＤを１から２に進める。一方で、電圧ＶＨがＶ１に到達するまでの間（Ｓ２２０のＮＯ判定時）は、ＩＤ＝１に維持される。すなわち、ＩＤ＝２は、切離前昇圧処理が終了しており、切離処理をさらに進めることが可能な状態を示している。また、ＩＤ≠１のとき（Ｓ２０５のＮＯ判定時）には、以降のステップＳ２１０〜Ｓ２３０の処理はスキップされる。
【０１０９】
このように切離前昇圧処理（ステップＳ２００）が終了すると、制御装置３０は、図９に示すような電力制限変更処理を実行する。
【０１１０】
図９は、図６に示した電力制限変更処理（Ｓ３００）の詳細を説明するフローチャートである。
【０１１１】
図９を参照して、制御装置３０は、電力制限変更処理においては、まずステップＳ３０５により、ＩＤ＝２であるかどうかを判定する。ＩＤ＝２でないとき（Ｓ３０５のＮＯ判定時）には、以降のステップＳ３２０〜Ｓ３４０の処理はスキップされる。
【０１１２】
ＩＤ＝２のとき（Ｓ３０５のＹＥＳ判定時）には、制御装置３０は、ステップＳ３２０により、選択副蓄電装置ＢＢの入出力上限電力Ｗｉｎ（Ｓ），Ｗｏｕｔ（Ｓ）の絶対値を徐々に低下させる。たとえば、所定の一定レートに従って、Ｗｏｕｔ（Ｓ），Ｗｉｎ（Ｓ）が０に向けて徐々に低下される。Ｗｏｕｔ（Ｓ），Ｗｉｎ（Ｓ）を段階的に低下させると、モータジェネレータＭＧ２のトルク（力行トルクおよび回生トルク）の上限値が不連続に低下する。すなわちモータジェネレータＭＧ２のトルクが突然制限される可能性がある。このようなモータジェネレータＭＧ２の挙動がドライブシャフトに伝わることで、たとえば車両振動といった車両挙動への影響が生じる可能性がある。
【０１１３】
本実施の形態では、Ｗｏｕｔ（Ｓ），Ｗｉｎ（Ｓ）の絶対値を所定の一定レートに従って徐々に低下することにより、モータジェネレータＭＧ２のトルクの上限値を滑らかに低下させることができる。したがってモータジェネレータＭＧ２のトルクが突然制限されることを回避できるので、上記のような車両挙動への影響を回避できる。
【０１１４】
制御装置３０は、ステップＳ３３０により、Ｗｏｕｔ（Ｓ），Ｗｉｎ（Ｓ）が０に達したかどうかを判定する。Ｗｏｕｔ（Ｓ）＝Ｗｉｎ（Ｓ）＝０となるまでの間、ステップＳ３２０が繰返し実行されて、Ｗｏｕｔ（Ｓ）およびＷｉｎ（Ｓ）は、継続的に低下する。
【０１１５】
そして、Ｗｏｕｔ（Ｓ）およびＷｉｎ（Ｓ）が０に達すると（Ｓ３３０のＹＥＳ判定時）、制御装置３０は、ステップＳ３４０により、ＩＤを２から３に進める。すなわち、ＩＤ＝３は、切離前昇圧処理および電力制限変更処理が終了しており、選択副蓄電装置ＢＢをコンバータ１２Ｂから切り離すことが可能な状態を示している。
【０１１６】
制御装置３０は、図９に示した電力制限変更処理が終了すると、ステップＳ４００による副蓄電装置の切離処理を実行する。
【０１１７】
図１０は、図６に示した副蓄電装置の切離処理（Ｓ４００）の詳細を説明するフローチャートである。
【０１１８】
図１０を参照して、制御装置３０は、副蓄電装置の切離処理においては、まずステップＳ４０５によってＩＤ＝３であるかどうかを判定する。そしてＩＤ≠３のとき（Ｓ４０５のＮＯ判定時）には、以降のステップＳ４１０〜Ｓ４５０の処理はスキップされる。
【０１１９】
ＩＤ＝３のとき（Ｓ４０５のＹＥＳ判定時）には、制御装置３０は、ステップＳ４１０により、副蓄電装置の切離の準備として、コンバータ１２Ｂを停止させる。すなわち、コンバータ１２Ｂは、シャットダウン指令に応答して、ＩＧＢＴ素子Ｑ１，Ｑ２が強制的にオフされる。
【０１２０】
制御装置３０は、ステップＳ４２０により、選択副蓄電装置をコンバータ１２Ｂから切り離すためのリレー制御信号を生成する。たとえば、副蓄電装置ＢＢ２が選択副蓄電装置である場合には、制御装置３０は、リレーＳＲ２，ＳＲ２Ｇをオフするようリレー制御信号ＣＯＮＴ５，ＣＯＮＴ７を生成する。
【０１２１】
さらに、制御装置３０は、ステップＳ４３０により、切離しが完了したかどうかを判定する。そして、切離しが完了すると（Ｓ４３０のＹＥＳ判定時）、制御装置３０は、ステップＳ４５０により、ＩＤを３から４に進める。
【０１２２】
すなわち、ＩＤ＝４は、副蓄電装置およびコンバータ１２Ｂの間の接続の切離しが完了した状態を示している。
【０１２３】
制御装置３０は、ステップＳ４００による切離処理が終了すると、ステップＳ５００による昇圧停止処理を実行する。
【０１２４】
図１１は、図６に示した昇圧停止処理（Ｓ５００）の詳細を説明するフローチャートである。
【０１２５】
図１１を参照して、制御装置３０は、昇圧停止処理においては、まずステップＳ５０５によってＩＤ＝４であるかどうかを判定する。そしてＩＤ≠４のとき（Ｓ５０５のＮＯ判定時）には、ステップＳ５０５以降の処理はスキップされる。
【０１２６】
ＩＤ＝４のとき（Ｓ５０５のＹＥＳ判定時）には、制御装置３０は、ステップＳ５５０により、ステップＳ２１０で発生した昇圧指令をオフする。さらに、制御装置３０は、ステップＳ５６０において、コンバータ１２Ａによる昇圧が停止されることを許可する。たとえば、電動車両の燃費等の観点からコンバータ１２Ａによる昇圧が不要な場合には、コンバータ１２Ａによる昇圧が停止される。この場合、コンバータ１２Ａの上アームがオン固定されるとともにコンバータ１２Ａの下アームがオフ固定される。一方、モータジェネレータに要求トルクを発生させる等の理由により、コンバータ１２Ａによる昇圧が必要である場合には、コンバータ１２Ａの昇圧動作が継続される。
【０１２７】
図１２には、図６〜図１１で説明した本発明の実施の形態による電動車両の電源システムにおける選択副蓄電装置の切離処理における動作波形が示される。
【０１２８】
図１２を参照して、ＩＤ＝０である時刻ｔ１までの期間には、現在の選択副蓄電装置（たとえば、バッテリＢＢ２）のＳＯＣに基づく、切離判定処理が所定周期で実行されている。
【０１２９】
そして、時刻ｔ１において、選択副蓄電装置ＢＢのＳＯＣ低下に応答して、切離判定処理（ステップＳ１００）によって選択副蓄電装置ＢＢの切離要求が発せられ、ＩＤ＝１に設定されることによって切離処理が開始される。
【０１３０】
これにより、切離前昇圧処理（ステップＳ２００）が実行されて、コンバータ１２Ａによって給電ラインＰＬ２の電圧ＶＨが所定電圧Ｖ１に向けて上昇させられる。給電ラインＰＬ２の昇圧処理が時刻ｔ２で完了すると、ＩＤは１から２に変更される。
【０１３１】
ＩＤ＝２となると、電力制限変更処理（Ｓ３００）が実行されて、選択副蓄電装置ＢＢの入出力上限電力Ｗｉｎ（Ｓ），Ｗｏｕｔ（Ｓ）が０に向けて一定レートで徐々に低下される。なお、この期間では、コンバータ１２Ｂは、現在の選択副蓄電装置（バッテリＢＢ１）の充放電を停止するように制御される。あるいは、コンバータ１２Ｂは、時刻ｔ１からシャットダウンしてもよい。
【０１３２】
時刻ｔ３において、選択副蓄電装置ＢＢの入出力上限電力Ｗｉｎ（Ｓ），Ｗｏｕｔ（Ｓ）が０まで絞られると、ＩＤが２から３に変更される。そしてＩＤ＝３になると、副蓄電装置の切離処理が開始される。すなわち、コンバータ１２Ｂがシャットダウンされた状態で、リレーＳＲ２，ＳＲ２Ｇがオフされる。これらの切離処理が完了することにより、時刻ｔ４においてＩＤが３から４に変更される。
【０１３３】
ＩＤ＝４になると、時刻ｔ５において、給電ラインＰＬ２の電圧ＶＨを所定電圧Ｖ１に昇圧するための昇圧処理が停止される。これにより、一連の選択副蓄電装置の切離処理が終了する。なお、主蓄電装置ＢＡの入出力上限電力Ｗｉｎ（Ｍ），Ｗｏｕｔ（Ｍ）は、選択副蓄電装置の切離処理によって変更されない。
【０１３４】
時刻ｔ６において、コンバータ１２Ａによる昇圧を停止することが許可される。コンバータ１２Ａの昇圧が不要な場合には、図１２に示すように、時刻ｔ６以後においてコンバータ１２Ａのスイッチング動作が停止される。すなわち時刻ｔ６以後は、コンバータ１２Ａの上アームがオン固定される一方でコンバータ１２Ａの下アームがオフ固定される。この場合には、電圧ＶＨは、主蓄電装置ＢＡの電圧ＶＢＡまで低下する。一方、コンバータ１２Ａによる昇圧が必要である場合には、時刻ｔ６以後においても、コンバータ１２Ａのスイッチング動作が継続される。
【０１３５】
図４および５に示すように、選択副蓄電装置ＢＢがコンバータ１２Ｂから切り離される以前においては、制御装置３０は、センサにより検出された値（各蓄電装置の電圧値等）に基づいて、電源システムに入出力される電力を制御する。しかしながら、選択副蓄電装置ＢＢがコンバータ１２Ｂから切り離されることにより、選択副蓄電装置の電力パラメータを検出するためのセンサは、通常の値とは異なる値を検出する。たとえばコンバータ１２Ｂの入力電圧ＶＬＢの検出値（電圧センサ２１Ｂの検出値）が０になる。
【０１３６】
図５に示すように、制御装置３０によるコンバータ１２Ｂの制御においては、その入力電圧（ＶＬＢ）の値が用いられる。したがって、入力電圧値が通常と異なる値である場合には、制御装置３０によるコンバータ１２Ｂの制御に異常が生じる可能性がある。あるいは、電圧ＶＬＢを検出するための電圧センサ２１Ｂに異常が生じたと制御装置３０が誤判定する可能性がある。
【０１３７】
さらに、選択副蓄電装置ＢＢがコンバータ１２Ｂから切り離された場合、電流センサ（たとえば電流センサ９Ｂ２）の検出値は、オフセットあるいはノイズの影響によって０以外の値となる可能性がある。電流値が０でない場合、制御装置３０が電力フィードバック制御を継続する可能性があるものの、実際には、選択副蓄電装置ＢＢに対して電力は入力も出力もされない。つまり、フィードバック制御が誤って実行される可能性がある。
【０１３８】
さらに、本実施の形態では、主蓄電装置ＢＡおよび選択副蓄電装置のＳＯＣの平均値が算出される。選択副蓄電装置ＢＢがコンバータ１２Ｂから切り離されることによって、ＳＯＣの平均値が不連続的に変化する。上述のように、ＳＯＣの平均値は、走行モードの切換の要否判定に用いられる。ＳＯＣの平均値が不連続的に変化したことによって、このような判定処理に影響が生じる可能性がある。
【０１３９】
これらの問題を回避するために、主蓄電装置および副蓄電装置の両方が使用されることを前提とした電源システムの制御プログラムと、主蓄電装置のみが使用されることを前提とした電源システムの制御プログラムとの２種類のプログラムを準備することが考えられる。しかし制御装置３０の記憶容量に余裕がなければ、これら２つのプログラムの両方を制御装置３０に記憶させることができない。言い換えれば、大きな記憶容量が制御装置３０に求められる。さらに２つのプログラムの切換えが必要なため、制御装置の処理が複雑化する。
【０１４０】
そこで、本発明の実施の形態では、選択副蓄電装置ＢＢがコンバータ１２Ｂから切り離された後においてもそれ以前の処理を継続可能なように、制御装置３０がパラメータの値を生成する。この値がセンサの検出値に代わり、コンバータ等の制御に用いられる。さらに、制御装置３０は、コンバータ１２Ｂによる電力フィードバック処理を停止させる。
【０１４１】
図１３は、制御装置３０による、電源システムの制御を継続させるための処理を説明するフローチャートである。
【０１４２】
図１３を参照して、制御装置３０は、ステップＳ７００では、変数ＩＤに基づいて、現在の状態が、選択副蓄電装置の切離中または切離の完了のいずれか一方であるかどうかを判定する。具体的には、制御装置３０は、変数ＩＤが３または４であるか否かを判定する。変数ＩＤが３または４であるとき（Ｓ７００のＹＥＳ判定時）には、制御装置３０は、ステップＳ７１０に処理を進める。一方、ＩＤが３および４のいずれでもない場合（Ｓ７００のＮＯ判定時）、以後のステップＳ７１０〜Ｓ７５０の処理は実質的にスキップされる。
【０１４３】
制御装置３０は、ステップＳ７１０により、選択副蓄電装置の電流値、すなわち電流ＩＢの値を０に固定する。
【０１４４】
さらに制御装置３０は、ステップＳ７２０により、選択副蓄電装置ＢＢに関する電圧値を主蓄電装置の対応する電圧値に置き換える。具体的には、コンバータ１２Ｂの入力電圧ＶＬＢの値としてコンバータ１２Ａの入力電圧ＶＬＡの値が採用される。さらに選択副蓄電装置の電圧ＶＢＢの値として、主蓄電装置ＢＡの電圧ＶＢＡの値が採用される。
【０１４５】
制御装置３０は、ステップＳ７３０により、選択副蓄電装置ＢＢの温度ＴＢＢを主蓄電装置ＢＡの温度ＴＡに置き換える。
【０１４６】
さらに制御装置３０は、ステップＳ７４０により、選択副蓄電装置ＢＢのＳＯＣに固定値を代入する。この固定値は、具体的には選択副蓄電装置ＢＢをコンバータ１２Ｂから切り離すためのＳＯＣのしきい値である。さらに制御装置３０は、ステップＳ７５０により、コンバータ１２Ｂによる電力フィードバック制御を停止させる。
【０１４７】
なお、ステップＳ７１０〜Ｓ７５０の処理は、図１３に示した順序に従って実行されるように限定されるものではなく、任意の順序で実行することができる。また、ステップＳ７１０〜Ｓ７５０の処理は並列的に実行されてもよい。
【０１４８】
本実施の形態によれば、選択副蓄電装置ＢＢの電流値を０に固定することで、コンバータ１２Ｂの電力フィードバック制御を停止することができる。これにより、コンバータ１２Ｂの誤動作の可能性を低減できる。本実施の形態では、電流値を０に固定する処理だけでなく、制御自体も停止される。これによりコンバータ１２Ｂの誤動作を確実に防止することができる。
【０１４９】
また、選択副蓄電装置がコンバータ１２Ｂから切り離された後には、主蓄電装置のみ使用可能である。選択副蓄電装置の電流値を０に固定することによって、実際の状態を制御装置３０の制御に実際の状態を反映させることができる。
【０１５０】
さらに、本実施の形態によれば、コンバータ１２Ｂの入力電圧ＶＬＢにコンバータ１２Ｂの入力電圧ＶＬＡが用いられる。たとえば電圧ＶＬＢを検出するための電圧センサ２１Ｂに異常が生じたと制御装置３０が誤判定する可能性も小さくすることができる。
【０１５１】
さらに本実施の形態によれば、選択副蓄電装置ＢＢのＳＯＣに固定値が代入される。この固定値は、選択副蓄電装置ＢＢをコンバータ１２Ｂから切り離すためのＳＯＣのしきい値である。これにより、選択副蓄電装置ＢＢをコンバータ１２Ｂから切り離された時点から、主蓄電装置ＢＡのＳＯＣが変化した場合において、ＳＯＣの平均値が不連続に変化することを防止することができる。
【０１５２】
次に、図１４を用いて、本発明の実施の形態の電源システムの制御構成のうちの一部である、図６〜図１１で説明した選択副蓄電装置の切離処理のための機能部分の構成を説明する。図１４に示された各機能ブロックは、制御装置３０によって、所定プログラムの実行によるソフトウェア処理、あるいは、専用の電子回路（ハードウェア処理）によって実現される
図１４を参照して、切離判定部１００は、バッテリＢＢ１，ＢＢ２の充電状態を示すＳＯＣ（ＢＢ１），ＳＯＣ（ＢＢ２）を受ける。切離判定部１００は、各機能ブロック間で共有される変数ＩＤが０のときに、現在使用中の選択副蓄電装置ＢＢのＳＯＣが所定のしきい値より低下したかどうかを判定する。さらに、切離判定部１００は、ＳＯＣ（ＢＢ１），ＳＯＣ（ＢＢ２）に基づいて、現在使用中の選択副蓄電装置と交換可能な新たな副蓄電装置が残っていないかどうかを判定する。上記の判定処理は所定周期で実行される。
【０１５３】
すなわち、切離判定部１００は、現在使用中の選択副蓄電装置と交換可能な新たな副蓄電装置が残っていないときに、選択副蓄電装置の充電状態ＳＯＣ（ＢＢ）に基づいて、選択副蓄電装置ＢＢをコンバータ１２Ｂからから切り離すことの要否を判定する。そして、切離判定部１００は、選択副蓄電装置の切離しが必要である場合には、ＩＤを０から１に変化させる。これにより、選択副蓄電装置の切離要求が発生される。すなわち、切離判定部１００の機能は、図６のステップＳ１００の処理に対応する。
【０１５４】
昇圧指示部１１０は、選択副蓄電装置の切離要求が発生されてＩＤ＝１になると、コンバータ１２Ａを制御するコンバータ制御部２００に対して、昇圧指令信号ＣＭＢＴを出力する。
【０１５５】
コンバータ制御部２００は、電圧ＶＨ，ＶＬＡおよび電圧指令値ＶＨｒｅｆに基づいて、給電ラインＰＬ２の電圧ＶＨが電圧指令値ＶＨｒｅｆとなるように、コンバータ１２Ａの制御信号ＰＷＵＡ，ＰＷＤＡを生成する。
【０１５６】
さらに、コンバータ制御部２００は、昇圧指示部１１０から昇圧指令信号ＣＭＢＴが生成された場合には、電圧指令値ＶＨｒｅｆ＝Ｖ１に設定して制御信号ＰＷＵＡを生成する。そして、コンバータ制御部２００は、電圧センサ１３によって検出される電圧ＶＨが所定電圧Ｖ１に達した状態が所定時間以上継続すると、昇圧完了を示すフラグＦＢＴをオンする。
【０１５７】
昇圧指示部１１０は、フラグＦＢＴがオンされると、ＩＤ＝２に変更する。そして、後述する切離制御部１４０による切離処理が完了することによってＩＤ＝４に設定されるまで、昇圧指令信号ＣＭＢＴの出力を継続する。すなわち、昇圧指示部１１０の機能は、図６のステップＳ２００および図１１のステップＳ５５０に対応する。
【０１５８】
電力制限部１２０は、選択副蓄電装置ＢＢの入出力上限電力Ｗｉｎ（Ｓ），Ｗｏｕｔ（Ｓ）を設定する。通常時には、入出力上限電力Ｗｉｎ（Ｓ），Ｗｏｕｔ（Ｓ）は、選択副蓄電装置ＢＢとされたバッテリのＳＯＣ（ＳＯＣ（ＢＢ１）またはＳＯＣ（ＢＢ２））、電池温度（ＴＢＢ１またはＴＢＢ２）、出力電圧（ＶＢ１またはＶＢ２）に基づいて設定される。
【０１５９】
これに対して、選択副蓄電装置の切離処理時には、電力制限部１２０は、ＩＤ＝２となると、入出力上限電力Ｗｉｎ（Ｓ），Ｗｏｕｔ（Ｓ）を、一定レートで徐々に０に向けて低下させるとともに、Ｗｉｎ（Ｓ），Ｗｏｕｔ（Ｓ）が０に達すると、ＩＤを２から３に変化させる。ＩＤが３に達すると、電力制限部１２０は、入出力上限電力Ｗｉｎ（Ｓ），Ｗｏｕｔ（Ｓ）を０に固定する。すなわち、電力制限部１２０の機能は、図９のステップＳ３２０〜Ｓ３４０の処理に対応する。
【０１６０】
電力制限部１３０は、主蓄電装置ＢＡの入出力上限電力Ｗｉｎ（Ｍ）およびＷｏｕｔ（Ｍ）を設定する。入出力上限電力Ｗｉｎ（Ｍ），Ｗｏｕｔ（Ｍ）は、主蓄電装置ＢＡのＳＯＣ（ＢＡ）、温度ＴＡ、電圧ＶＢＡに基づいて設定される。
【０１６１】
切離制御部１４０は、電力制限部１２０によってＩＤ＝３に設定されると、コンバータ１２Ｂのシャットダウン指令を生成する。さらに、切離制御部１４０は、選択副蓄電装置ＢＢがコンバータ１２Ｂから切り離されるように、リレー制御信号ＣＯＮＴ４〜ＣＯＮＴ７を生成する。たとえば、選択副蓄電装置ＢＢがバッテリＢＢ２である場合には、リレーＳＲ２，ＳＲ２Ｇがターンオフするように、リレー制御信号ＣＯＮＴ５，ＣＯＮＴ７が生成される。そして、この切離処理が完了すると、切離制御部１４０は、コンバータ１２Ｂのシャットダウン状態を終了させるとともにＩＤを３から４に変化させる。すなわち切離制御部１４０の機能は、図６のステップＳ４００の処理に対応する。
【０１６２】
昇圧停止許可部１５０は、切離制御部１４０によってＩＤ＝４に設定された場合に、コンバータ１２Ａによる昇圧動作を停止することを許可する指令を生成するとともに、その指令を出力する。すなわち、昇圧停止許可部１５０の機能は、図１１のステップＳ５６０の処理に対応する。コンバータ制御部２００は、昇圧停止許可部１５０からの指令に応じて、コンバータ１２Ａの上アームをオンに固定するための制御信号ＰＷＦＡを生成する。
【０１６３】
パラメータ生成部１６０は、電力制限部１２０によってＩＤ＝３に設定された場合、あるいは切離制御部１４０によってＩＤ＝４に設定された場合に、選択副蓄電装置ＢＢの電圧ＶＢＢに主蓄電装置ＢＡの電圧ＶＢＡの値を代入する。さらに、パラメータ生成部１５０は、コンバータ１２Ｂの入力電圧ＶＬＢにコンバータ１２Ａの入力電圧ＶＬＡの値を代入する。さらに、パラメータ生成部１５０は、選択副蓄電装置ＢＢの温度ＴＢＢに主蓄電装置ＢＡの温度ＴＡを代入する。
【０１６４】
さらにパラメータ生成部１６０は、選択副蓄電装置ＢＢのＳＯＣ（ＢＢ）に固定値を代入する。さらにパラメータ生成部１５０は、選択副蓄電装置ＢＢの電流ＩＢに固定値（＝０）を代入する。
【０１６５】
すなわちパラメータ生成部１６０の機能は、図１３のステップＳ７００〜Ｓ７４０の処理に対応する。
【０１６６】
フィードバック制御停止部１７０は、電力制限部１２０によってＩＤ＝３に設定された場合、あるいは切離制御部１４０によってＩＤ＝４に設定された場合に、電力フィードバック制御を停止するための停止要求を発生させる。この停止要求によって、図５に示すフィードバック制御系が停止するため、電力フィードバック制御が停止する。すなわちフィードバック制御停止部１７０の機能は、図１３のステップＳ７５０の処理に対応する。
【０１６７】
以上説明したように、本実施の形態に従う電動車両の電源システムによれば、選択副蓄電装置の切離処理中または切離完了後に、制御装置３０（パラメータ生成部１６０）が選択副蓄電装置の電力パラメータを生成する。生成されたパラメータは、センサの検出値に代わり、電源システムの制御、および電動車両の走行制御に用いられる。
【０１６８】
制御装置３０が選択副蓄電装置の電力パラメータを生成することによって、制御装置３０は、選択副蓄電装置がコンバータ１２Ｂに接続された状態での制御を継続できる。これによって選択副蓄電装置がコンバータ１２Ｂから切り離された後において、電源システムの制御に異常が生じることを防止できる。電源システムの制御に異常が発生した場合には、電源システムからモータジェネレータＭＧ１，ＭＧ２への電力供給に異常が生じることによって、電動車両の挙動が急変する可能性がある。本実施の形態によれば、複数の副蓄電装置の１つがコンバータに接続された状態から、複数の蓄電装置のいずれもコンバータに接続されていない状態に切り換わったとしても、電力の供給に関する制御を継続することができる。これにより電動車両の走行制御が乱れるのを防止できる。
【０１６９】
なお、本実施の形態では、動力分割機構によりエンジンの動力を駆動輪と発電機とに分割して伝達可能なシリーズ／パラレル型ハイブリッドシステムを搭載した電動車両を示した。しかし本発明は、たとえば発電機を駆動するためにのみエンジンを用い、発電機により発電された電力を使うモータでのみ車軸の駆動力を発生させるシリーズ型ハイブリッド車両や、電気自動車、燃料電池自動車にも適用できる。これらの車両は、いずれも車両駆動パワーを発生するモータ、および蓄電装置を搭載しているので、本発明が適用可能である。
【０１７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７１】
１  電動車両、２  車輪、３  動力分割機構、４  エンジン、６  バッテリ充電用コンバータ（外部充電）、８  外部電源、９Ａ，９Ｂ１，９Ｂ２，２４，２５  電流センサ、１０Ａ，１０Ｂ１，１０Ｂ２，１３，２１Ａ，２１Ｂ  電圧センサ、１１Ａ，１１Ｂ１，１１Ｂ２  温度センサ、１２Ａ，１２Ｂ  コンバータ、１４，２２  インバータ、１５  Ｕ相アーム、１６  Ｖ相アーム、１７  Ｗ相アーム、３０  制御装置、３９Ａ，３９Ｂ  接続部、５１  分配率算出部、５２  指令値生成部、５３  電力算出部、５４  偏差算出部、５５  補正部、５６  信号生成部、１００  切離判定部、１１０  昇圧指示部、１２０，１３０  電力制限部、１４０  切離制御部、１５０  昇圧停止許可部、１６０  パラメータ生成部、１７０  フィードバック制御停止部、２００  コンバータ制御部、２５０  走行制御部、２６０  トータルパワー算出部、２７０，２８０  インバータ制御部、ＢＡ  バッテリ（主蓄電装置）、ＢＢ  選択副蓄電装置、ＢＢ１，ＢＢ２  バッテリ（副蓄電装置）、Ｃ１，Ｃ２，ＣＨ  平滑用コンデンサ、ＣＭＢＴ  昇圧指令信号、ＣＯＮＴ１〜ＣＯＮＴ７  リレー制御信号、Ｄ１〜Ｄ８  並列ダイオード、ＦＢＴ  フラグ、ＩＡ  入出力電流、ＩＢ  電流、ＩＤ  変数、ＩＧＯＮ  起動信号、Ｌ１  リアクトル、ＭＣＲＴ１，ＭＣＲＴ２  モータ電流値、ＭＧ１，ＭＧ２  モータジェネレータ、Ｎ２  ノード、ＰＬ１Ａ，ＰＬ１Ｂ  電源ライン、ＰＬ２  給電ライン、Ｐｔｔｌ  トータル要求パワー、ＰＷＭＩ１，ＰＷＭＩ２，ＰＷＭＣ，ＰＷＭＣ１，ＰＷＭＣ２  制御信号（インバータ）、ＰＷＵ，ＰＷＵＡ，ＰＷＤＡ，ＰＷＤ，ＰＷＤＡ，ＰＷＤＢ  制御信号（コンバータ）、Ｑ１〜Ｑ８  ＩＧＢＴ素子、Ｒ  制限抵抗、ＳＬ１，ＳＬ２  接地ライン、ＳＭＲ１〜ＳＭＲ３  システムメインリレー、ＳＲ１，ＳＲ１Ｇ，ＳＲ２，ＳＲ２Ｇ  リレー、ＴＡ，ＴＢＢ，ＴＢＢ１，ＴＢＢ２  温度（バッテリ）、Ｔｑｃｏｍ１，Ｔｑｃｏｍ２  トルク指令値、ＵＬ，ＶＬ，ＷＬ  ライン（三相）、ＶＢＡ，ＶＢＢ１，ＶＢＢ２，ＶＬＡ，ＶＬＢ，ＶＨ  電圧、ＶＨｒｅｆ  電圧指令値、Ｗｉｎ，Ｗｉｎ（Ｍ），Ｗｉｎ（Ｓ）  入力上限電力、Ｗｏｕｔ，Ｗｏｕｔ（Ｍ），Ｗｏｕｔ（Ｓ）  出力上限電力、ΔＰ  偏差。
【図１】
2010288346.tif 000003
【図２】
2010288346.tif 000004
【図３】
2010288346.tif 000005
【図４】
2010288346.tif 000006
【図５】
2010288346.tif 000007
【図６】
2010288346.tif 000008
【図７】
2010288346.tif 000009
【図８】
2010288346.tif 000010
【図９】
2010288346.tif 000011
【図１０】
2010288346.tif 000012
【図１１】
2010288346.tif 000013
【図１２】
2010288346.tif 000014
【図１３】
2010288346.tif 000015
【図１４】
2010288346.tif 000016